(57)【特許請求の範囲】
【請求項１】
遊技盤の盤面に固定されるベースと、このベースに上下のリンクアームを介して支持された後飾り板と、この後飾り板の下端部に回転アームを介して支持された前飾り板とを備え、
これら上下のリンクアームの前端はベースに枢着され、後端は後飾り板に枢着されて平行リンクを構成しており、
ベースには入賞時に前記リンクアームを後方に回転させて後飾り板をベースの背面側に下降させるモータが設けられており、
回転アームはその基部に、下側のリンクアームの後飾り板側に一体に成形された後端ギアと噛合い、リンクアームの回転に連動して回転アームを垂下させる方向に回転させる基部ギアを備えており、
回転アームにより連結された前飾り板の端部と後飾り板の端部には、相互に噛み合う反転用ギアが設けられており、
回転アームの回転により前飾り板を後飾り板の前面密着位置から、後飾り板の下方の垂下位置まで反転移動可能としたことを特徴とする遊技機の可動装飾装置。
【請求項２】
ベースは、後飾り板を通過させる切欠部を備えたものであることを特徴とする請求項１記載の遊技機の可動装飾装置。
【請求項３】
後飾り板はその前面に装飾が形成され、前飾り板はその表裏両面に装飾が形成されたものであることを特徴とする請求項１又は２記載の遊技機の可動装飾装置。
【請求項４】
上下のリンクアームは、上方への回転時に他の軸との干渉を回避するための屈曲部を備えたものであることを特徴とする請求項１又は２記載の遊技機の可動装飾装置。
【発明の詳細な説明】
【技術分野】
【０００１】
本発明は、遊技機の可動装飾装置に関するものである。
【背景技術】
【０００２】
従来より遊技機には変動図柄表示装置や可動装飾装置が備えられ、大当りやリーチ時などの特別な遊技状態を盛り上げる演出がなされている。例えば、特許文献１に示す可動装飾装置は、入賞状態において昇降体が遊技盤の液晶表示画面上を上下方向に往復移動、急降下する等の連続的又は断続的な動きをして遊技者を楽しませるものである。
【０００３】
これらの可動装飾装置は迫力を出すために前面ガラスに近接した位置に設置されることが多い。このため、前述のような比較的大きな装飾物には前後方向の回転や傾動を採用せず上下動を採用して、装飾物が前面ガラスへ衝突することを防止している。しかし、上下動のみでは常に同じ意匠面を遊技者に向けることとなり、表現の多様性に乏しく興趣に欠けるという問題があった。
【先行技術文献】
【特許文献】
【０００４】
【特許文献１】特開２００８−２４５９４１号公報
【発明の概要】
【発明が解決しようとする課題】
【０００５】
従って本発明の目的は前記した従来の問題を解決し、比較的面積の大きい装飾物を前面ガラスに衝突させることなく遊技盤内を回転移動させることができ、しかも複数の意匠面を表示することができる遊技機の可動装飾装置を提供することである。
【課題を解決するための手段】
【０００６】
上記の課題を解決するためになされた本発明は、遊技盤の盤面に固定されるベースと、このベースに上下のリンクアームを介して支持された後飾り板と、この後飾り板の下端部に回転アームを介して支持された前飾り板とを備え、これら上下のリンクアームの前端はベースに枢着され、後端は後飾り板に枢着されて平行リンクを構成しており、ベースには入賞時に前記リンクアームを後方に回転させて後飾り板をベースの背面側に下降させるモータが設けられており、回転アームはその基部に、下側のリンクアームの後飾り板側に一体に成形された後端ギアと噛合い、リンクアームの回転に連動して回転アームを垂下させる方向に回転させる基部ギアを備えており、回転アームにより連結された前飾り板の端部と後飾り板の端部には、相互に噛み合う反転用ギアが設けられており、回転アームの回転により前飾り板を後飾り板の前面密着位置から、後飾り板の下方の垂下位置まで反転移動可能としたことを特徴とするものである。
【０００７】
なおベースは、後飾り板を通過させる切欠部を備えたものであり、前記後飾り板はその前面に装飾が形成され、前飾り板はその表裏両面に装飾が形成されたものであることが好ましい。さらに、上下のリンクアームは、上方への回転時に他の軸との干渉を回避するための屈曲部を備えたものであることが好ましい。
【発明の効果】
【０００８】
本発明に係る遊技機の可動装飾装置は、入賞時に前記リンクアームを後方に回転させて後飾り板をベースの背面側に下降させながら、回転アームの回転により前飾り板を後飾り板の前面密着位置から、後飾り板の下方の垂下位置まで反転移動可能としたものである。このため前飾り板は後飾り板に連動して奥行方向に後退しながら前方へ垂下するため、遊技盤の前面ガラスに衝突することがない。
【０００９】
さらに、回転アームにより連結された前飾り板の端部と後飾り板の端部には、相互に噛み合う反転用ギア（セクターギア／部分ギア）が設けられている。これにより、通常状態においては前飾り板を後飾り板の前面に密着保持させておき、入賞状態になったときには後飾り板の下方の垂下位置まで段階的に反転移動させることができ、複数の意匠面を表示することができる。
【００１０】
特に請求項３のように、後飾りの前面と前飾り板の表裏両面とに装飾を施せば、通常状態と入賞状態とで異なる装飾面が表れて、入賞状態を盛り上げることができる。
【図面の簡単な説明】
【００１１】
【図１】通常状態における可動装飾装置の斜視図である。
【図２】図１の状態における機構の説明図である。
【図３】平行リンクを後方に６０°回転させた状態を示す斜視図である。
【図４】図３の状態における機構の説明図である。
【図５】平行リンクを後方に９０°回転させた状態を示す斜視図である。
【図６】図５の状態における機構の説明図である。
【図７】平行リンクを後方に１２０°回転させた状態を示す斜視図である。
【図８】図７の状態における機構の説明図である。
【図９】平行リンクを後方に１８０°回転させた状態を示す斜視図である。
【図１０】図９の状態における機構の説明図である。
【図１１】可動装飾装置の分解斜視図である。
【発明を実施するための形態】
【００１２】
以下に本発明の好ましい実施形態を示す。先ず図１１を参照しつつ、全体構造を説明する。
【００１３】
図１１において、１はベースであり、パチンコ遊技機の遊技盤の盤面に固定される平板部の左右両側に、遊技盤の前面側に向って突出する壁面２を備えている。この平板部には後飾り板３等を通過させるための切欠部４が形成されている。
【００１４】
３はベース１に支持された後飾り板であり、その左右両側は上下のリンクアーム５，６を介してベース１に連結されている。これらの上下のリンクアーム５，６の前端はベース１の壁面２の内側に軸７，８によって枢着され、後端は後飾り板３の側面に軸９、１０によって枢着されて平行リンクを構成している。図２に示す初期状態においては、これらのリンクアーム５，６は垂直位置にある。なお後述する図１０の状態において、リンクアーム５が軸８と干渉することを避けるため、またリンクアーム６が軸９と干渉することを避けるため、リンクアーム５、６には図示のように屈曲部が形成されている。
【００１５】
上側のリンクアーム５の前端にはギア１１が一体成形されている。ベース１の壁面２にはモータ１２が設けられており、その出力軸の先端の駆動ギア１３がこのリンクアーム５の前端のギア１１と噛み合っている。モータ１２は大当たり入賞時等に駆動され、上下のリンクアーム５、６を図２の初期状態から図４に示すように後方に回転させる。これにより後飾り板３はベース１に対して平行姿勢を保ったまま、ベース１の切欠部４を通過して背面側に下降して行く。
【００１６】
この後飾り板３の下端部には、回転アーム１４を介して前飾り板１５が支持されている。回転アーム４の後飾り板３側には基部ギア１６が一体に成形されている。また前記した下側のリンクアーム６の後飾り板３側には、後端ギア１７が一体に成形されており、基部ギア１６と噛み合っている。このため、上記したように上下のリンクアーム５，６が後方に回転されると、回転アーム１４は図４に示すように垂下させる方向に回転し、回転アーム１４と前飾り板１５とを連結する軸１８は前方に回転移動する。
【００１７】
また図１１に示されるように、回転アーム１４により連結された前飾り板１５の端部と後飾り板３の端部には、相互に噛み合う反転用ギア１９，２０が設けられている。この実施形態ではこれらの反転用ギア１９，２０はセクターギアである。これらの反転用ギア１９，２０により、軸１８の前方への回転移動に連れて前飾り板１５は軸１８の回りに前方に回転し、前飾り板１５を図１、図２に示す後飾り板３の前面密着位置から、図９、図１０に示す後飾り板３の下方の垂下位置まで反転移動させる。
【００１８】
なお、後飾り板３はその前面のみに装飾が形成され、前飾り板１５はその表裏両面に装飾が形成されている。
【００１９】
以下に、本実施形態の可動装飾装置の作動を説明する。
図１及び図２に、通常状態つまり入賞前の状態を示す。この通常状態においては、前飾り板１５と後飾り板３とは互いの面を合わせるように折り畳まれてベース１に保持されている。このとき、遊技者からは前飾り板１５の裏面のみが見える。
【００２０】
大当たり等の入賞時にはモータ１２が駆動され、駆動ギア１３が上側のリンクアーム５の前端のギア１１を後方（図面上の反時計方向）に回転させる。リンクアーム５，６は平行リンクを構成しているため、下側のリンクアーム６も同様に後方に回転する。これにより後飾り板３はベース１の切欠部４を通過して後方に平行移動しながら降下する。この状態を図３〜図６に示す。
【００２１】
この下側のリンクアーム６の回転はその後端ギア１７を回転させ、これに噛み合っている基部ギア１６を介して回転アーム１４を垂下させる方向に回転させる。この回転アーム１４の回転に連動して前飾り板１５は軸１８の回りに前方に回転し、図９、図１０に示す後飾り板３の下方の垂下位置まで反転移動する。図１０の状態においては遊技者からは後飾り板３の前面と前飾り板１５の前面が、上下２段に見える。
【００２２】
このように本発明の可動装飾装置は、図１に示す折り畳み状態では前飾り板１５の裏面のみが表示されるが、入賞状態では後飾り板３及び前飾り板１５を大きく下降させるとともに、後飾り板３の前面と前飾り板１５の前面を上下２段に表示することができ、入賞状態を盛り上げることができる意匠効果に優れるものである。
【００２３】
しかも前飾り板１５を前方に回転させる際の回転中心である軸１８は、回転途中には図６に示されるようにベース１よりも後方に移動した位置にある。このため前方に回転中の前飾り板１５の先端が遊技盤の前面ガラスに衝突することがなく、面積の大きい装飾物を回転移動させることができる。
【００２４】
なお、大当たり等の入賞状態が終了後にはモータ１２を逆転させれば、図１、図２の状態に復帰することはいうまでもない。
【符号の説明】
【００２５】
１  ベース
２  壁面
３  後飾り板
４  切欠部
５  上側のリンクアーム
６  下側のリンクアーム
７  軸
８  軸
９  軸
１０  軸
１１  ギア
１２  モータ
１３  駆動ギア
１４  回転アーム
１５  前飾り板
１６  基部ギア
１７  後端ギア
１８  軸
１９  反転用ギア
２０  反転用ギア
【図１】
0005853262.tif 000002
【図２】
0005853262.tif 000003
【図３】
0005853262.tif 000004
【図４】
0005853262.tif 000005
【図５】
0005853262.tif 000006
【図６】
0005853262.tif 000007
【図７】
0005853262.tif 000008
【図８】
0005853262.tif 000009
【図９】
0005853262.tif 000010
【図１０】
0005853262.tif 000011
【図１１】
0005853262.tif 000012